(57)【要約】  本発明は、第１のコネクタ（４）と第２のコネクタ（６）とを備えるプラグコネクタ（２）であって、第１のコネクタ（４）と第２のコネクタ（６）とがプラグコネクタ（２）の延長主軸に沿った結合動作によって接続され得、第１のコネクタ（４）に関連する固着要素（８）が延長主軸に沿ってロック位置（Ａ）とアンロック位置（Ｂ）との間で変位され得、固定要素（１０）が径方向（ＩＩＩ）で偏向され得、固着要素（８）のロック位置（Ａ）からアンロック位置（Ｂ）への変位が固定要素（１０）の少なくとも径方向（ＩＩＩ）での変位を引き起こし、また、固着要素（８）のロック位置（Ａ）からアンロック位置（Ｂ）への変位により、固定要素（１０）が径方向（ＩＩＩ）での運動によって解放され得る、プラグコネクタ（２）に関する。本発明によれば、固着要素（８）がロック位置（Ａ）では第１のコネクタ（４）を第２のコネクタ（６）と接続するための軸方向（Ｉ）での結合動作を実現するために固定要素（１０）の径方向（ＩＩＩ）での運動を可能にするように設計されるということがもたらされる。
2019504460.tif 000002
【特許請求の範囲】
【請求項１】
第１のコネクタ（４）と第２のコネクタ（６）とを備えるプラグコネクタ（２）であって、
前記第１のコネクタ（４）と前記第２のコネクタ（６）とが前記プラグコネクタ（２）の延長主軸に沿った結合動作によって接続され得、
前記第１のコネクタ（４）に関連する固着要素（８）が前記延長主軸に沿ってロック位置（Ａ）とアンロック位置（Ｂ）との間で変位され得、
固定要素（１０）が結合解除動作を阻止するために相手側固定要素（１２）との相互作用によって前記第１のコネクタ（４）を前記第２のコネクタ（６）に固定するように配設され、
前記固定要素（１０）が径方向（ＩＩＩ）で運動可能であり、
前記固着要素（８）の前記ロック位置（Ａ）から前記アンロック位置（Ｂ）への変位が前記固定要素（１０）の少なくとも径方向（ＩＩＩ）での変位を引き起こすように、前記固着要素（８）が直接的にまたは間接的に前記固定要素（１０）との作動的接続状態にあり、また、前記固着要素（８）の前記ロック位置（Ａ）から前記アンロック位置（Ｂ）への変位により、前記相手側固定要素（１２）の前記固定要素（１０）が前記第１のコネクタ（４）を前記第２のコネクタ（６）から分離するための軸方向（ＩＩ）での結合解除動作を可能にするために径方向（ＩＩＩ）での運動によって解放され得る、プラグコネクタ（２）において、
前記固着要素（８）が前記ロック位置（Ａ）では前記第１のコネクタ（４）を前記第２のコネクタ（６）と接続するための軸方向（Ｉ）での結合動作を実現するために前記固定要素（１０）の径方向（ＩＩＩ）での運動を可能にするように設計されることを特徴とするプラグコネクタ（２）。
【請求項２】
前記ロック位置（Ａ）では、前記固定要素（１０）が少なくとも径方向（ＩＩＩ）で第１の移動長さ（Ｌ１）分運動し得、また、前記固着要素（８）の前記ロック位置（Ａ）から前記アンロック位置（Ｂ）への変位により、前記固定要素（１０）が径方向（ＩＩＩ）で第２の移動長さ（Ｌ２）分変位し得、前記第２の移動長さ（Ｌ２）が前記第１の移動長さ（Ｌ１）より大きいことを特徴とする請求項１に記載のプラグコネクタ（２）。
【請求項３】
前記固定要素（１０）が、スナップインフック（３８）を有し、前記相手側固定要素（１２）が、スナップロック接続を形成するために前記スナップインフック（３８）と相互作用するように設計される相手側スナップインフック（４０）を有することを特徴とする請求項１または２に記載のプラグコネクタ（２）。
【請求項４】
第１の挿入領域（４２）と第２の挿入領域（１４）とが配設され、前記第２の挿入領域（１４）が前記第１の挿入領域（４２）との相互作用によって前記固定要素（１０）の径方向（ＩＩＩ）での運動を引き起こすように設計され、特に、前記第１の挿入領域（４２）が前記第１のコネクタ（４）に関連し、前記第２の挿入領域（１４）が前記第２のコネクタ（６）に関連することを特徴とする請求項１乃至３の少なくともいずれか一項に記載のプラグコネクタ（２）。
【請求項５】
前記固着要素（８）および／または前記固定要素（１０）が導電性材料から製造されることを特徴とする請求項１乃至４の少なくともいずれか一項に記載のプラグコネクタ（２）。
【請求項６】
前記固着要素（８）が少なくとも１つのシールドコンタクト要素（５２ａ，５２ｂ）を介して前記プラグコネクタ（２）の外部導体（５４）と導電接続されることを特徴とする請求項５に記載のプラグコネクタ（２）。
【請求項７】
少なくとも部分的に前記固着要素（８）との作動的接続状態にある引抜ベベル（１６）が配設され、それが引抜コンタクト面（４４）との相互作用によって前記固定要素（１０）の第３の方向（ＩＩＩ）の方向での運動を引き起こすことを特徴とする請求項１乃至６の少なくともいずれか一項に記載のプラグコネクタ（２）。
【請求項８】
前記引抜ベベル（１６）と前記引抜コンタクト面（４４）とが前記第１のコネクタ（４）に関連することを特徴とする請求項７に記載のプラグコネクタ（２）。
【請求項９】
前記引抜ベベル（１６）が前記固定要素（１０）に形成されることを特徴とする請求項８に記載のプラグコネクタ（２）。
【請求項１０】
前記引抜コンタクト面（４４）が前記固着要素（８）に形成されることを特徴とする請求項８または９に記載のプラグコネクタ（２）。
【請求項１１】
前記固着要素（８）が前記第１のコネクタ（４）のプラグ本体（２４）と取外不能に接続されることを特徴とする請求項１乃至１０の少なくともいずれか一項に記載のプラグコネクタ（２）。
【請求項１２】
前記固着要素（８）が固着スリーブを備えることを特徴とする請求項１乃至１１の少なくともいずれか一項に記載のプラグコネクタ（２）。
【請求項１３】
請求項１乃至１２のいずれか一項に記載のプラグコネクタ（２）用の第１のコネクタ（４）。
【請求項１４】
請求項１乃至１２のいずれか一項に記載のプラグコネクタ（２）用の第２のコネクタ（６）。
【請求項１５】
請求項１乃至１２のいずれか一項に記載のプラグコネクタ（２）を少なくとも装備する衛星。
【発明の詳細な説明】
【技術分野】
【０００１】
本発明は、請求項１のプリアンブルに記載のプラグコネクタに関する。本発明はさらに、そのようなプラグコネクタ用の第１のコネクタおよび第２のコネクタ、ならびに、そのようなプラグコネクタを装備する衛星に関する。
【背景技術】
【０００２】
プラグコネクタは、電気的信号または光学的信号、例えば電流または光放射、例えば光またはレーザー光のための回路基板および／またはケーブル等の構成要素を分離または接続するのに用いられる。
【０００３】
プラグコネクタは、少なくとも２つの部品、雄型部品および雌型部品からなる。
【０００４】
プラグ接続の雄型部品は外向きのコンタクト突片を有するのに対して、雌型部品は内向きのコンタクト開口を有する。しかしながら、両方のジェンダーのプラグ要素を持つプラグコネクタもある。
【０００５】
雄型部品は、ケーブルの端部に取り付けられている場合にはプラグとも呼ばれ、または、アダプタとも呼ばれる。
【０００６】
雌型部品は、ケーブルの端部に取り付けられている場合にはカップリングとも呼ばれ、または、デバイスハウジングに堅固に組み込まれている場合にはソケットとも呼ばれる。
【０００７】
例えば、その名が示唆するように繋ぎ合わされる、いわゆるＳＭＰプラグコネクタは、４０ＧＨｚまでの周波数を持つ電気的高周波（ＲＦ）信号のために用いられる。そのようなプラグコネクタは、約２２Ｎから約６８Ｎの最大引張力までの接続を保証する。より高い引張力が発生した場合、接続は解除される。
【０００８】
より高い引張力での不所望の接続解除を防止するために、プラグコネクタの軸方向において２つの端位置の間で動かされ得る固着スリーブを持つ同軸プラグコネクタが特許文献１から知られている。固着スリーブをプラグの自由端部の方向に変位させることにより、固定要素が径方向内向きに動かされて固定され得、この固定位置において、プラグがその後相手側固定要素と係合してソケットに保持され得る。固着スリーブを逆方向、すなわち自由端部と反対側に動かすことにより、固定要素の相手側固定要素との係合が解除され得、その結果、プラグがソケットからわずかな力の印加で分離され得る。
【０００９】
しかしながら、特許文献１から知られている同軸プラグコネクタは、プラグ接続を形成するために、固着スリーブが自由端部に位置しないことを要求し、すなわち、接続を形成するために、固着スリーブは、第１のステップにおいて、結合動作と反対に、自由端部と反対側に動かされる必要があり、その後、第２のステップにおいて、プラグをソケットと接続するために、自由端部の方に結合動作の方向に動かされる必要がある。この不自然な動きのシーケンスは、そのようなプラグコネクタとの接続を形成することをより困難にする。
【先行技術文献】
【特許文献】
【００１０】
【特許文献１】独国特許出願公開第４４３９８５２号明細書
【発明の概要】
【発明が解決しようとする課題】
【００１１】
本発明は、増大した引張力に抗して接続が確実に固着され、それと同時に取り扱いがより容易であるプラグコネクタを提供するという課題に基づいている。
【課題を解決するための手段】
【００１２】
本発明によれば、この課題は、請求項１において特徴付けられる特徴を持つ上記のタイプのプラグコネクタによって解決される。本発明の有利な態様は、さらなる請求項において記載される。
【００１３】
このために、本発明によれば、上記のタイプのプラグコネクタにおいて、固着要素がロック位置では第１のコネクタを第２のコネクタと接続するための軸方向での結合動作を実現するために固定要素の径方向での運動を可能にするように設計されるということがもたらされる。
【００１４】
それに関して、第１のコネクタはプラグであり得、第２のコネクタはソケットであり得る、または、第１のコネクタはソケットとして設計され、第２のコネクタはプラグとして設計される。
【００１５】
これは、第１のコネクタがさらにロック位置において結合動作によって第２のコネクタと接続され得るという利点を有する。したがって、結合動作の実行前に、先ず固着要素を結合動作の方向と反対の方向で動かす必要がなく、代わりに、第１のコネクタがワンステップで第２のコネクタと即座に接続され得る。これは、固着要素が結合手順中に把持要素として働き得、したがって片手での組み立てを実現するため、プラグコネクタとの接続の形成を大きく簡略化する。それと同時に、解放機能を有するプラグコネクタは、固定要素を装備し得、それは、例えば２２Ｎから６８Ｎを超える高い引張力の印加の下であっても第１のコネクタの第２のコネクタとの接続を維持するが、それは、固着要素がアンロック作用を有することにより、第１のコネクタと第２のコネクタとの間の保持力がそれらを互いに分離するために必要に応じて低減され得るからである。
【００１６】
プラグコネクタは、電気、例えば電気的信号または供給電圧の伝送のために設計され得る。代替的に、プラグコネクタは、光学的信号、例えば光またはレーザー光信号の伝送のために設計されてもよく、例えば２つの光導波路を接続するように働く。プラグコネクタは、外部コンタクトと内部コンタクトとを持つ同軸プラグコネクタとして設計され得る。しかしながら、代替的に、プラグコネクタは、他の形態、または、例えば列状にまたは矩形形態に配置される複数のコンタクトを持つプラグコンタクト構成を有してもよく、その場合、外部導体は、アクティブでも非アクティブでもよい。さらに、プラグコネクタは、４０ＧＨｚまでの周波数を持つＲＦ信号の伝送のためのＳＭＰプラグコネクタとして設計され得る。
【００１７】
また、ロック位置は、第２のコネクタ側に向く第１のコネクタの自由端部に位置し得、アンロック位置は、第２のコネクタと反対側に向く端部に位置し得る。固着要素は、直接的にまたは間接的に固定要素との作動的接続状態にあり得、すなわち、構造的要素の介在がなくても構造的要素の介在があってもよい。作動的接続状態にあるということは、固着要素と固定要素とが、それらのロック位置とアンロック位置との間の位置に応じて、直接的にまたは間接的に、少なくとも部分的にまたは一時的に、接触しているまたは接触していないことを意味すると理解されるべきである。さらに、径方向は、プラグコネクタ自体が設計上回転対称であるか否かに関係なく、プラグコネクタの延長主軸に対して直角に延在する。
【００１８】
一態様によれば、ロック位置では、固定要素が少なくとも径方向で第１の移動長さ分運動し得、また、固着要素の変位により、固定要素が径方向で第２の移動長さ分ロック位置からアンロック位置へと運動し得、第２の移動長さが第１の移動長さより大きい。こうして、アンロック位置において固定要素がロック位置においてより相手側固定要素から大きな距離があることが確実にされ、その結果、第１のコネクタの第２のコネクタからの確実な分離が保証される。
【００１９】
さらなる態様によれば、固定要素が、スナップインフックを有し、相手側固定要素が、スナップロック接続を形成するためにスナップインフックと相互作用するように構成される相手側スナップインフックを有する。こうして、第１のコネクタの第２のコネクタとの接続は、例えば２２Ｎから６８Ｎを超える高い引張力の印加の下でも維持され得る。スナップロック接続の代わりに、固定要素と相手側固定要素とは、締付接続を形成するようにまたは他のフォースロックおよび／またはフォームロック接続を形成するように設計されてもよい。
【００２０】
さらなる態様によれば、第１の挿入領域と第２の挿入領域とが配設され、第１の挿入領域、例えばソケット挿入ベベルが第２の挿入領域との相互作用によって固定要素の径方向での運動を引き起こす。第１のコネクタが第２のコネクタと相互に結合されるときに、第１の挿入領域と第２の挿入領域とはしたがって、固定要素、例えばスナップインフックが偏向され、それゆえに例えば相手側スナップインフックとして設計される相手側固定要素との係合状態に入ることができるようにする。こうして、プラグコネクタが特に単純な構造を有し得る。
【００２１】
さらなる態様によれば、第２の挿入領域がプラグに割り当てられ、第１の挿入領域がソケットに割り当てられる。こうして、プラグのソケットへの導入と同時にプラグのプリセンタリングが行われる。
【００２２】
さらなる態様によれば、固着要素および／または固定要素が導電性材料から製造される。これは、固着要素がＥＭＣシールドの機能を付加的に担い得るのに対して、それと同時に固定要素が例えば同軸プラグコネクタの外部導体部分を形成することを意味する。したがって、固着要素および／または固定要素はそれぞれ二重の機能を実行する。
【００２３】
さらなる態様によれば、固着要素が少なくとも１つのシールドコンタクト要素を介してプラグコネクタの外部導体と導電接続される。結果として、シールド損失が固定要素のスロットを設けた設計により補償される。こうして、ＲＦシールドが改善される。
【００２４】
さらなる態様によれば、少なくとも部分的に固着要素との作動的接続状態にある引抜ベベルが配設され、それが引抜コンタクト面との相互作用によって固定要素の第３の方向、特に径方向の方向での運動を引き起こす。したがって、固着要素の変位において、引抜ベベルは、固定要素、例えばスナップインフックが偏向し、例えば相手側スナップインフックとして設計される相手側固定要素との係合状態から抜け出すという作用を有する。
【００２５】
さらなる態様によれば、引抜ベベルと引抜コンタクト面とが第１のコネクタに割り当てられる。したがって、固着要素のアンロック作用は第２のコネクタから独立したものであり、その結果、第１のコネクタはそのアンロック作用を失わずに異なる第２のコネクタに適したものである。
【００２６】
さらなる態様によれば、引抜ベベルが固定要素に形成される。こうして、固定要素が特に単純な単一部品構造を有し得る。引抜ベベルは固定要素と同じ材料で作られ得る、または、引抜ベベルと固定要素とは異なる材料で作られる。
【００２７】
さらなる態様によれば、引抜コンタクト面が固着要素に配置される。こうして、固着要素が特に単純な単一部品構造を有し得る。それに関して、引抜コンタクト面は固着要素と同じ材料で作られ得る、または、引抜コンタクト面と固着要素とは異なる材料で作られる。
【００２８】
さらなる態様によれば、固着要素が第１のコネクタのプラグ本体と取外不能に接続される。例えば、固着要素は、プラグ本体のガイドにてロック位置とアンロック位置との間で取外不能に保持され得る。こうして、固着要素は、接続の形成中に、固着要素がなくなる可能性または固着要素が事前に嵌められる必要性なしに、結合動作によって接続される。
【００２９】
さらなる態様によれば、固着要素が固着スリーブを備える。こうして、固着要素は、特に単純な単一部品および均一材料構造を有し得、それは、例えば規則的な径方向間隔で離間して配置されるコンタクト突片を持ち、コンタクト突片は、円筒における材料切り込みによって形成され、例えばいずれの場合にもそれらの自由端部にスナップインフックが配設される。
【００３０】
本発明はまた、プラグコネクタ用のそのような第１のコネクタおよびそのような第２のコネクタと、そのようなプラグコネクタを装備する衛星とを含む。それに関して、衛星は、科学的、商業的または軍事的目的を達成するために地球または月等の星である天体を楕円または円軌道で周回する人工衛星を意味すると理解されるべきである。
【００３１】
以下において、図面を参照して本発明についてより詳細に説明する。
【図面の簡単な説明】
【００３２】
【図１】本発明の例示的実施形態による第１のコネクタと第２のコネクタとからなるプラグコネクタの未接続状態での模式断面図を示す。
【図２】図１に示される第１のコネクタの斜視断面図を示す。
【図３】図１に示されるプラグコネクタの組み立てにおける第１のステップを示す。
【図４】図１に示されるプラグコネクタの組み立てにおける第２のステップを示す。
【図５】図１に示されるプラグコネクタの組み立てにおける第３のステップを示す。
【図６】図１に示されるプラグコネクタの組み立てにおける第４のステップを示す。
【図７】図１に示されるプラグコネクタの組み立てにおける最終の第５のステップを示す。
【図８】図１に示されるプラグコネクタの結合解除の目的でのアンロックを示す。
【発明を実施するための形態】
【００３３】
先ず図１を参照する。
【００３４】
図示されているのは、２つの構成要素、例えば衛星の例えば回路基板および／またはケーブルの相互の電気的接続のためのプラグコネクタ２である。しかしながら、プラグコネクタは、他の装置の回路基板および／またはケーブルを互いに導電接続してもよい。
【００３５】
本例示的実施形態において、プラグコネクタ２は、電気的信号、例えばＲＦ信号の伝送向けまたは供給電圧の伝送向けに設計される。代替的に、プラグコネクタ２は、光学的信号、例えば光またはレーザー光を伝送するように設計されてもよく、この場合、光部品および／または光導波路を互いに接続する。
【００３６】
プラグコネクタ２は雄型部品と雌型部品とを有し、それに関して、雄型部品および雌型部品の接続相手、例えば回路基板および／またはケーブルに関係なく、以下では、雄型部品は第１のコネクタ４と呼ばれ、雌型部品は第２のコネクタ６と呼ばれる。本例示的実施形態において、第１のコネクタ４はプラグとして設計され、第２のコネクタ６はソケットとして設計される。
【００３７】
後で詳細に説明するように、第１のコネクタ４が第１の方向、本例示的実施形態では軸方向Ｉでその延長主軸に沿って第２のコネクタ６の方に動かされてこれと接続されることで、導電接続または光学的信号を伝送する接続がプラグコネクタ２で形成され得る。
【００３８】
本例示的実施形態において、プラグコネクタ２は、延長主軸に細長い基本形態を持つ同軸プラグコネクタとして設計され、ゆえに内部導体５６と外部導体５４とを有する。本例示的実施形態から離れて、プラグコネクタ２は、任意の他のプラグコンタクト構成のものであってもよく、例えばコンタクトが列状にまたは矩形形態に配置されてもよい。
【００３９】
本例示的実施形態において、第１のコネクタ４は、プラグ本体２４と、絶縁体２６と、固着要素８と、固定要素１０ならびに内部導体プラグソケット２８とを有する。
【００４０】
さらに、本例示的実施形態において、内部導体プラグソケット２８との接続のための接続ピン２０に加えて、第２のコネクタ６は、第１のコネクタ４を第２のコネクタ６に固定するために、固定要素１０との相互作用のための相手側固定要素１２を有する。本例示的実施形態において、固定要素１０と相手側固定要素１２とは、スナップロック接続を形成するように設計される。代替的に、固定要素１０と相手側固定要素１２とは、締付接続を形成するように設計されてもよい。
【００４１】
そして、プラグコネクタ２はＲＦシールドを有し、それは本例示的実施形態ではＲＦシールドのための第１のシールドコンタクト要素５２ａと第２のシールドコンタクト要素５２ｂとを備える。第１のシールドコンタクト要素５２ａは、プラグ本体２４と固着要素８との間に配置され、本体２４の周りに環状に延在するのに対して、第２のシールドコンタクト要素５２ｂは、第２のコネクタ６のソケット本体５８と固着要素８との間に配置され、固着要素８の周りに環状に延在する。プラグ本体２４とソケット本体５８とはいずれの場合にも外部導体５４の一部を形成するため、第１のシールドコンタクト要素５２ａと第２のシールドコンタクト要素５２ｂとは外部導体５４と導電接続される。
【００４２】
プラグコネクタ２の内部導体５６は、第２のコネクタ６の接続ピン２０と第１のコネクタ４の内部導体プラグソケット２８とによって形成されるのに対して、外部導体５４は、第１のコネクタ４の固定要素１０の外部コンタクト部分１８と第２のコネクタ６の相手側コンタクト部分２２とによって形成される。
【００４３】
固定要素１０と内部導体プラグソケット２８との間には、内部導体５６と外部導体５４とを互いに電気的に絶縁する絶縁体２６が配置される。
【００４４】
図２を付加的に参照して特に固着要素８および固定要素１０のさらなる詳細について説明する。
【００４５】
本例示的実施形態において、絶縁体２６と違って、固着要素８は、導電性材料で製造され、固着スリーブとして設計される。本例示的実施形態において、固着要素８はまた、プラグ本体２４のガイド内にて第１の方向Ｉおよび第１の方向Ｉと反対の第２の方向ＩＩの方向で延長主軸に沿ってロック位置Ａとアンロック位置Ｂとの間で取外不能に変位され得る。それに関して、この運動は、第１の制止部３４と第２の制止部３６とによって制限される。
【００４６】
本例示的実施形態において、ロック位置Ａは第１のコネクタ４の前端部Ｄまたは第２のコネクタ６側に向く端部に位置し、アンロック位置Ｂは後端部Ｐまたは第２のコネクタ６と反対側に向く端部に位置する。図２において、固着要素８は前端部Ｄでのロック位置Ａに位置する。
【００４７】
本例示的実施形態において、固定要素１０は、同様に導電性材料から製造され、複数のスリット３２によって形成されるコンタクト突片３０を有する。本例示的実施形態において、固定要素１０は、スリーブの形態で設計され、複数のスリット３２は、固定要素１０の周方向に規則的な間隔で離間して配置される。
【００４８】
本例示的実施形態において、固定要素１０は、第２のコネクタ６の相手側スナップインフック４０と相互作用するように設計される、相手側固定要素１２（図１参照）とのスナップロック接続を形成するための複数のスナップインフック３８を有する。それに関して、スナップインフック３８の相手側スナップインフック４０との係合によってスナップロック接続を形成するための、コンタクト突片３０の第３の方向、本例示的実施形態では径方向ＩＩＩでの偏向は、第１の方向Ｉでの結合動作中に互いに接触する、挿入コンタクト面として設計される第１の挿入領域４２とソケット挿入ベベルとして設計される第２の挿入領域１４と（図１参照）によって保証される。このために、本例示的実施形態において、第１の挿入領域４２と第２の挿入領域１４とはいずれの場合にも、傾斜の形態で設計される。
【００４９】
本例示的実施形態において、第３の方向ＩＩＩは、第１の方向Ｉに対して実質的に９０°の角度を形成する。用語「実質的に」は、通常の製造公差内の範囲を意味すると理解される。さらに、本例示的実施形態において、第１の方向Ｉと第２の方向ＩＩとは、プラグコネクタ２の延長主軸に沿って延在するのに対して、第３の方向ＩＩＩは、同軸プラグコネクタとしてのプラグコネクタ２の実質的に回転対称の構造により径方向内向きに延在する。
【００５０】
本例示的実施形態において、固定要素１０はまた、引抜ベベル１６を有する。後で詳細に説明するように、固着要素８がロック位置Ａからアンロック位置Ｂへと変位されるときに、引抜ベベル１６は、第１の方向Ｉと反対の第２の方向ＩＩでの運動の結果として、固着要素８の引抜コンタクト面４４と接触し、また、その傾斜形態の設計により、コンタクト突片３０の第３の方向、径方向ＩＩＩの方向での偏向を引き起こす。
【００５１】
ここで、図３乃至８を付加的に参照して第１のコネクタ４を第２のコネクタ６と接続するための組み立て手順について説明する。
【００５２】
図３は、第１のステップを示しており、このステップにおいて、第１のコネクタ４と第２のコネクタ６とは、分離状態にあり、第１のコネクタ４は、第１の方向Ｉでの結合動作によって第２のコネクタ６の方に動かされる。それに関して、固着要素８は把持要素として働き得る。固着要素８はここではロック位置Ａにある。ロック位置Ａにおいて、固着要素８は第２の制止部３６に位置する。結果として、固着要素８の第１のコネクタ４に対する相対運動が結合動作中に防止され、その結果、固着要素８が片手での組み立て中に把持要素として働く。
【００５３】
図４は、第２のステップを示しており、このステップにおいて、第１のコネクタ４は、第１の方向Ｉでの結合動作によって、第１のコネクタ４の固定要素８の第１の挿入領域４２が第２のコネクタ６の第２の挿入領域１４に入って第１のコネクタ４の第２のコネクタ６でのプリセンタリングを生じさせるまで深く、第２のコネクタ６に挿入される。
【００５４】
図５は、第３のステップを示しており、このステップにおいて、第１の方向Ｉでの結合動作の継続によって、固定要素１０のプラグ挿入ベベル４６（図２参照）は、第２の挿入領域１４と接触する。それと同時に、接続ピン２０（図１参照）は、内部導体５６が電気的に接続されるように内部導体プラグソケット２８（図１参照）に入っている。
【００５５】
図６は、第４のステップを示しており、このステップにおいて、第１の方向Ｉでの結合動作の継続によって、コンタクト突片３０は、プラグ挿入ベベル４６および第２の挿入領域１４の傾斜形態の設計によって第３の方向ＩＩＩの方向で第１の移動長さＬ１分偏向される。
【００５６】
図７は、第５のステップを示しており、このステップにおいて、第１の方向Ｉでの結合動作の継続によって、第１のコネクタ４は最終的に、第１のコネクタ４の前端部Ｄが第２のコネクタ６の基部と接触するその端位置に達し、弾性の設計により第３の方向ＩＩＩと逆の第４の方向ＩＶで動いて戻っている。結果として、外部導体５４のコンタクトがここで相手側コンタクト部分２２に形成される。
【００５７】
スナップインフック３８（図２参照）のコンタクト面４８の相手側スナップインフック４０（図１参照）の相手側コンタクト面５０との接触は、第１のコネクタ４が第２の方向ＩＩ、すなわち結合動作と反対の方向での運動によって再び分離されることを防止する。本例示的実施形態において、スナップインフック３８と相手側スナップインフック４０とは、例えば５００Ｎの分量の第２の方向ＩＩの方向での引張力が第１のコネクタ４を第２のコネクタ６から分離するために必要となるように設計される。
【００５８】
ステップ１乃至５中に、固着要素８は、ロック位置Ａに留まり、コンタクト突片３０（図２参照）の偏向運動を妨げず、すなわち、それらの偏向運動のために十分な空間を許容する。
【００５９】
図８は、さらなるステップを示しており、このステップにおいて、固着要素８は、第２の方向ＩＩでの運動によってロック位置Ａからアンロック位置Ｂへと変位されている。
【００６０】
この変位の結果として、引抜コンタクト面４４は引抜ベベル１６と接触しており、引抜ベベル１６の傾斜形態の設計の結果として、コンタクト突片３０（図２参照）は第３の方向ＩＩＩの方向で第２の移動長さＬ２分偏向される。それに関して、第２の移動長さＬ２は第１の移動長さＬ１より大きく、その結果、スナップインフック３８と相手側スナップインフック４０とはもはや互いに接触しておらず、または係合していない。すると、第１のコネクタ４は第２のコネクタ６からわずかに力を使うだけで問題なく分離され得る。
【００６１】
したがって、第１のコネクタ４を第２のコネクタ６と接続するための結合動作の実行前に、先ず固着要素８を第１の方向Ｉでの結合動作の方向と反対の方向で動かす必要がなく、代わりに、第１のコネクタ４がワンステップで第２のコネクタ６と即座に接続され得るプラグコネクタ２がもたらされる。これは、プラグコネクタ２との接続の形成を大きく簡略化し、片手での組み立てを可能にする。それと同時に、プラグコネクタ２は、第１のコネクタ４の第２のコネクタ６とのスナップロック接続によって、例えば２２Ｎから６８Ｎの間を超える、例えば５００Ｎの高い引張力の印加の下であっても第１のコネクタ４と第２のコネクタ６との間の接続を維持する固定要素１０を有する。
【図１】
2019504460.tif 000003
【図２】
2019504460.tif 000004
【図３】
2019504460.tif 000005
【図４】
2019504460.tif 000006
【図５】
2019504460.tif 000007
【図６】
2019504460.tif 000008
【図７】
2019504460.tif 000009
【図８】
2019504460.tif 000010
【国際調査報告】
2019504460.tif 000011
2019504460.tif 000012
2019504460.tif 000013
2019504460.tif 000014